(57)【要約】  本発明は、着用者に対して適合された光学レンズの供給であって、ａ）直接的に、又は製造側を介して間接的に、レンズ発注側に位置した第１のネットワーク接続されたコンピュータエンティティ（ＰＣ１、ＰＣ３）から、データの第１の組を受け取るステップと、ｂ）少なくとも光学レンズ設計情報及び着用者の処方データを有するデータの第２の組をレンズ設計側に位置した第２のネットワーク接続されたコンピュータエンティティに送信し、且つ、第２のネットワーク接続されたコンピュータエンティティ（ＰＣ２）から、第２の組から算出された少なくとも光学レンズデータを有するデータの第３の組を受け取るステップと、ｃ）レンズ製造側に位置した少なくとも第３のネットワーク接続されたコンピュータエンティティ（ＰＣ３）に、光学レンズデータの少なくとも一部分を有するデータの第４の組を送信するステップと、を有する。
2015502568.tif 000002
【特許請求の範囲】
【請求項１】
着用者に対して適合された少なくとも１つの光学レンズを供給するためのコンピュータ手段によって実装される方法であって、前記光学レンズは、第１部分と、第２部分と、を有し、
ａ）直接的に、又は製造側を介して間接的に、レンズ発注側（ＬＯＳ）に位置した第１のネットワーク接続されたコンピュータエンティティ（ＰＣ１、ＰＣ３）から、データの第１の組（Ｓ１）を受け取るステップであって、前記データの第１の組（Ｓ１）は、少なくとも、着用者のデータと、特に、着用者の処方データと、を有する、ステップと、
ｂ）少なくとも光学レンズ設計情報及び前記着用者の処方データを有するデータの第２の組（Ｓ２）をレンズ設計側（ＬＤＳ）に位置した第２のネットワーク接続されたコンピュータエンティティ（ＰＣ２）に送信し、且つ、前記第２のネットワーク接続されたコンピュータエンティティ（ＰＣ２）から、前記第２の組（Ｓ２）から算出された少なくとも光学レンズデータ（ＯＬＤ）を有するデータの第３の組（Ｓ３）を受け取るステップであって、前記光学レンズデータ（ＯＬＤ）は、前記第１レンズ部分に関係する光学レンズデータの第１の組（ＯＬＤ１）と、前記第２レンズ部分に関係する光学レンズデータの第２の組（ＯＬＤ２）と、を有し、前記光学レンズデータの第１の組（ＯＬＤ１）及び前記光学レンズデータの第２の組（ＯＬＤ２）は、前記光学レンズのグローバルな光学関数（ＯＦ）を一緒に規定している、ステップと、
ｃ）レンズ製造側（ＬＭＳ）に位置した少なくとも第３のネットワーク接続されたコンピュータエンティティ（ＰＣ３）に、少なくとも前記光学レンズデータの第１の組（ＯＬＤ１）を送信するステップと、
ｄ）半完成レンズ製造側（ＳＦＬＭＳ）の第４のネットワーク接続されたコンピュータエンティティ（ＰＣ４）に位置した少なくとも第４のネットワーク接続されたコンピュータエンティティ（ＰＣ４）に、少なくとも前記光学レンズデータの第２の組（ＯＬＤ２）を送信するステップと
を有し、
前記少なくとも第１及び第２光学レンズデータ（ＯＬＤ１、ＯＬＤ２）は、それぞれ、マスキング機能（ＥＮＣＲ）によって少なくとも部分的に変更され（ＭＯＬＤ１、ＭＯＬＤ２）、且つ、前記マスキング機能は、
−  光学レンズデータの第１の変更済みの組（ＭＯＬＤ１）を得るように、前記光学レンズデータの第１の組と、
−  光学レンズデータの第２の変更済みの組（ＭＯＬＤ２）を得るように、前記光学レンズデータの第２の組と
に適用され、
前記光学レンズデータの第１の変更済みの組（ＭＯＬＤ１）及び前記光学レンズデータの第２の変更済みの組（ＭＯＬＤ２）は、前記光学レンズの前記グローバルな光学関数（ＯＦ）と同一の光学関数を一緒に規定する、方法。
【請求項２】
値（ＡＶ）を得るように、ステップｃ）のそれぞれの実行が係数手段によって計数される請求項１に記載の方法。
【請求項３】
前記第３のネットワーク接続されたコンピュータエンティティ（ＰＣ３）及び／又は前記第２のネットワーク接続されたコンピュータエンティティ（ＰＣ２）と関連するトークン値がそれぞれの計数の際に減分される請求項２に記載の方法。
【請求項４】
前記値（ＡＶ）に基づいて会計処理が実行される請求項２又は３に記載の方法。
【請求項５】
前記マスキング機能は、暗号化を有し、且つ、前記第１及び第２光学レンズデータ（ＯＬＤ１、ＯＬＤ２）は、暗号化手段及び暗号化キー（ＥＮＣＲ）により、少なくとも部分的に暗号化され、且つ、前記第３及び第４のネットワーク接続されたコンピュータエンティティ（ＰＣ３、ＰＣ４）は、暗号解読キー（ＤＥＣＲ）により、前記光学レンズデータ（ＯＬＤ１、ＯＬＤ２）を暗号解読するように、構成されている請求項１乃至４のいずれか一項に記載の方法。
【請求項６】
前記光学レンズデータの前記暗号化は、ステップｃ）において実行される前記データの第３の組（Ｓ３）の少なくとも一部分の暗号化の結果としてもたらされ、且つ、ステップｃ）において実行されるそれぞれの暗号化は、値（ＡＶ）を得るように、計数手段によって計数される請求項５に記載の方法。
【請求項７】
少なくとも１つの暗号化キー（ＥＮＣＲ１（ｉ）、ＥＮＣＲ２（ｊ）、ＥＮＣＲ３（ｋ））が、それぞれの値（ＡＶ１、ＡＶ２、ＡＶ３）との関連において提供される請求項６に記載の方法。
【請求項８】
ステップａ）〜ステップｄ）は、少なくともサーバー（ＳＥＲ）及びストレージユニット（ＭＥＭ）を有するネットワーク接続されたデータ処理装置（ＤＰＤ）によって実行される請求項１乃至７のいずれか一項に記載の方法。
【請求項９】
少なくとも前記データの第１の組（Ｓ１）は、前記ネットワーク接続されたデータ処理装置（ＤＰＤ）によって稼働するウェブサイトに送信される請求項８に記載の方法。
【請求項１０】
前記光学レンズデータの第１の組（ＯＬＤ１）は、光学レンズデータ（ＯＬＤ）と関連する製造規則の組を更に有する請求項１乃至９のいずれか一項に記載の方法。
【請求項１１】
着用者に対して適合された少なくとも１つの光学レンズを供給するための光学レンズ供給システムであって、前記光学レンズは、第１部分と、第２部分と、を有し、前記システムは、
ａ）直接的に、又は製造側を介して間接的に、レンズ発注側（ＬＯＳ）に位置した第１のネットワーク接続されたコンピュータエンティティ（ＰＣ１、ＰＣ３）から、データの第１の組（Ｓ１）を受け取り、前記データの第１の組（Ｓ１）は、少なくとも、着用者のデータと、特に、着用者の処方データと、を有し、
ｂ）少なくとも光学レンズ設計情報及び前記着用者の処方データを有するデータの第２の組（Ｓ２）をレンズ設計側（ＬＤＳ）に位置した第２のネットワーク接続されたコンピュータエンティティ（ＰＣ２）に送信し、且つ、前記第２のネットワーク接続されたコンピュータエンティティ（ＰＣ２）から、前記第２の組（Ｓ２）から算出された少なくとも光学レンズデータ（ＯＬＤ）を有するデータの第３の組（Ｓ３）を受け取り、前記光学レンズデータ（ＯＬＤ）は、前記第１レンズ部分に関係する光学レンズデータの第１の組（ＯＬＤ１）と、前記第２レンズ部分に関係する光学レンズデータの第２の組（ＯＬＤ２）と、を有し、前記光学レンズデータの第１の組（ＯＬＤ１）及び前記光学レンズデータの第２の組（ＯＬＤ２）は、前記光学レンズのグローバルな光学関数（ＯＦ）を一緒に規定し、
ｃ）レンズ製造側（ＬＭＳ）に位置した少なくとも第３のネットワーク接続されたコンピュータエンティティ（ＰＣ３）に、少なくとも前記光学レンズデータの第１の組（ＯＬＤ１）を送信し、且つ、
ｄ）半完成レンズ製造側（ＳＦＬＭＳ）の第４のネットワーク接続されたコンピュータエンティティ（ＰＣ４）に位置した少なくとも第４のネットワーク接続されたコンピュータエンティティ（ＰＣ４）に、少なくとも前記光学レンズデータの第２の組（ＯＬＤ２）を送信する
ための処理手段（ＤＰＤ）を有し、
前記少なくとも第１及び第２光学レンズデータ（ＯＬＤ１、ＯＬＤ２）は、それぞれ、マスキング機能（ＥＮＣＲ）によって少なくとも部分的に変更され（ＭＯＬＤ１、ＭＯＬＤ２）、且つ、前記マスキング機能は、
−  光学レンズデータの第１の変更済みの組（ＭＯＬＤ１）を得るように、前記光学レンズデータの第１の組と、
−  光学レンズデータの第２の変更済みの組（ＭＯＬＤ２）を得るように、前記光学レンズデータの第２の組と
に適用され、
前記光学レンズデータの第１の変更済みの組（ＭＯＬＤ１）及び前記光学レンズデータの第２の変更済みの組（ＭＯＬＤ２）は、前記光学レンズの前記グローバルな光学関数（ＯＦ）と同一の光学関数を一緒に規定する、システム。
【請求項１２】
データ処理装置用のコンピュータプログラムプロダクトであって、前記データ処理装置に読み込まれた際に、前記装置に請求項１乃至１０のいずれか一項に記載の方法のステップを実行させる命令の組を有するコンピュータプログラムプロダクト。
【発明の詳細な説明】
【技術分野】
【０００１】
本発明は、着用者に対して適合された少なくとも１つの光学レンズを供給するためのコンピュータ手段及びコンピュータシステムによって実装される方法に関する。
【背景技術】
【０００２】
通常、発注側に位置したアイケアの専門家（ｅｙｅ  ｃａｒｅ  ｐｒｏｆｅｓｓｉｏｎａｌ）は、レンズ発注データを送信することにより、光学レンズを光学ラボに対して発注する。レンズ発注データは、一般に、少なくとも着用者のデータ（並びに、更に詳しくは、着用者の処方データ）、レンズフレームデータ、及びレンズデータを有する。この結果、光学ラボは、レンズ製造側において、レンズ発注データに基づいて光学レンズを製造する。
【発明の概要】
【発明が解決しようとする課題】
【０００３】
本発明の目的は、この状況を改善することにある。
【課題を解決するための手段】
【０００４】
この目的のために、本発明は、着用者に対して適合された少なくとも１つの光学レンズを供給するためのコンピュータ手段によって実装される方法であって、
ａ）直接的に、又は製造側を介して間接的に、レンズ発注側に位置した第１のネットワーク接続されたコンピュータエンティティから、データの第１の組を受け取るステップであって、データの第１の組は、少なくとも、着用者のデータと、特に、着用者の処方データと、を有する、ステップと、
ｂ）少なくとも光学レンズ設計情報及び着用者の処方データを有するデータの第２の組をレンズ設計側に位置した第２のネットワーク接続されたコンピュータエンティティに送信し、且つ、第２のネットワーク接続されたコンピュータエンティティから、第２の組から算出された少なくとも光学レンズデータを有するデータの第３の組を受け取るステップと、
ｃ）レンズ製造側に位置した少なくとも第３のネットワーク接続されたコンピュータエンティティに、光学レンズデータの少なくとも一部分を有するデータの第４の組を送信するステップであって、データの第４の組の少なくとも光学レンズデータは、マスキング機能によって少なくとも部分的に変更される、ステップと、
を有する方法に関する。
【０００５】
又、本発明は、着用者に対して適合された少なくとも１つの光学レンズを供給するための光学レンズ供給システムであって、
ａ）直接的に、又は製造側を介して間接的に、レンズ発注側に位置した第１のネットワーク接続されたコンピュータエンティティから、データの第１の組を受け取り、データの第１の組は、少なくとも、着用者のデータと、特に、着用者の処方データと、を有し、
ｂ）少なくとも光学レンズ設計情報及び着用者の処方データを有するデータの第２の組をレンズ設計側に位置した第２のネットワーク接続されたコンピュータエンティティに送信し、且つ、第２のネットワーク接続されたコンピュータエンティティから、第２の組から算出された少なくとも光学レンズデータを有するデータの第３の組を受け取り、且つ、
ｃ）レンズ製造側に位置した少なくとも第３のネットワーク接続されたコンピュータエンティティに、光学レンズデータの少なくとも一部分を有するデータの第４の組を送信し、データの第４の組の少なくとも光学レンズデータは、マスキング機能によって少なくとも部分的に変更される、
ための処理手段を有する光学レンズ供給システムを目的としている。
【０００６】
更に詳しくは、ステップａ）〜ステップｃ）は、同一の場所において、且つ、恐らくは、同一のネットワーク接続されたデータ処理装置により、実行することが可能であることから、本発明は、ネットワーク接続されたデータ処理装置にも関し、この装置は、
ａ）直接的に、又は製造側を介して間接的に、レンズ発注側に位置した第１のネットワーク接続されたコンピュータエンティティから、データの第１の組を受け取り、データの第１の組は、少なくとも、着用者のデータと、特に、着用者の処方データと、を有し、
ｂ）少なくとも光学レンズ設計情報及び着用者の処方データを有するデータの第２の組をレンズ設計側に位置した第２のネットワーク接続されたコンピュータエンティティに送信し、且つ、第２のネットワーク接続されたコンピュータエンティティから、第２の組から算出された少なくとも光学レンズデータを有するデータの第３の組を受け取り、且つ、
ｃ）レンズ製造側に位置した少なくとも第３のネットワーク接続されたコンピュータエンティティに、光学レンズデータの少なくとも一部分を有するデータの第４の組を送信し、データの第４の組の少なくとも光学レンズデータは、マスキング機能によって少なくとも部分的に変更される、
ための処理手段（例えば、サーバー、メモリユニット、プロセッサ、又はその他のもの）を有する。
【０００７】
本発明は、データ処理装置用のコンピュータプログラムプロダクトを更なる目的としており、このコンピュータプログラムプロダクトは、データ処理装置に読み込まれた際に、データ処理装置に上述の方法のステップを実行させる命令の組を有する。
【０００８】
本発明のその他の特徴及び利点については、以下の詳細な説明を参照すると共に添付図面を検討することにより、明らかとなろう。
【図面の簡単な説明】
【０００９】
【図１】本発明による方法を実装する光学レンズ供給システムの一例を概略的に示す。
【図２】図１に示されているコンピュータエンティティの間のデータ通信を示すシーケンス図である。
【図３】本発明の一実施形態によるネットワーク接続されたデータ処理装置のメモリ内のデータコンテンツの一例と、第３のネットワーク接続されたコンピュータエンティティＰＣ３内のメモリコンテンツの一例と、を示す。
【図４】本発明の一実施形態による半完成レンズ製造側を有する光学レンズ供給システムの一例を概略的に示す。
【図５Ａ】図２の代替肢としてのシーケンス図である。
【図５Ｂ】図２の更なる代替肢としてのシーケンス図である。
【発明を実施するための形態】
【００１０】
本発明は、着用者に対して適合された少なくとも１つの光学レンズのコンピュータ手段によって支援された供給に関する。「光学レンズ」とは、限定を伴うことなしに、眼鏡レンズ、コンタクトレンズ、人工水晶体、及びこれらに類似したものを有する眼科レンズを意味している。「着用者に対して適合された」という用語は、光学レンズが少なくとも着用者の眼科処方の要件を満足していることを意味している。
【００１１】
図１に一例として示されているシステムは、
−  レンズ発注側ＬＯＳに（例えば、アイケアの専門家の店内に）位置した第１のネットワーク接続されたコンピュータエンティティＰＣ１と、
−  （例えば、レンズ設計算出エンジンＥＮＧＩを稼働させている）レンズ設計側ＬＤＳに位置した少なくとも第２のネットワーク接続されたコンピュータエンティティＰＣ２と、
−  レンズ製造側ＬＭＳに（例えば、光学ラボの店内に）位置した第３のネットワーク接続されたコンピュータエンティティＰＣ３と、
を有する。
【００１２】
このシステムは、例えば、サーバーＳＥＲと、メモリユニットＭＥＭと、を含むネットワーク接続されたデータ処理装置ＤＰＤを更に有し、ネットワーク接続されたデータ処理装置ＤＰＤは、後述するように、第１、第２、及び第３コンピュータとの間の通信を可能にするべくネットワーク接続されている。
【００１３】
一実施形態においては、値ＡＶを得るように、ネットワーク接続されたデータ処理装置ＤＰＤから（レンズ製造側ＬＭＳに位置した）第３のネットワーク接続されたコンピュータエンティティＰＣ３への光学レンズデータＯＬＤのそれぞれの通信を計数手段によって計数することができる（図１）。光学レンズデータの組ＯＬＤは、例えば、光学レンズ設計との関係におけるデータを有することができる。従って、計数された値ＡＶは、例えば、第３のネットワーク接続されたコンピュータエンティティＰＣ３を有する所与の光学ラボに対して伝達された（レンズ設計データを含む）光学レンズデータの組の数を示すことができる。このような値ＡＶの計数に関係する詳細（図３に概略的に示されているもの）については、以下において付与することとする。
【００１４】
図２を参照すれば、ネットワーク接続されたデータ処理装置ＤＰＤは、光学レンズの発注と関連するデータの第１の組Ｓ１を受け取る。このデータの第１の組Ｓ１は、少なくとも、着用者のデータと、特に、着用者の処方データと、を有する。
【００１５】
以下、「着用者のデータ」は、少なくとも着用者の処方データ（例えば、球面ジオプター（ｓｐｈｅｒｉｃａｌ  ｐｏｗｅｒ）、非点収差、非点収差の円筒軸、又はその他のものを含む）を有する。着用者のデータは、例えば、瞳孔間距離、頂点間距離、広角度（ｐａｎｔｏｓｃｏｐｉｃ  ａｎｇｌｅ）、又は着用者に関係する任意のその他のデータのような個別のデータを更に有してもよい。
【００１６】
データの第１の組Ｓ１は、レンズの担持を目的としたメガネフレームとの関係におけるデータを更に有することができる。従って、このようなデータは、例えば、光学レンズの担持を目的としたメガネフレームの内側リムの形状、リム寸法の計測値、このようなリムの傾斜角、又はその他のものに関係する情報を含む眼鏡フレーム情報を有することができる。更には、アイケアの専門家は、光学レンズのタイプの選択肢に関係するデータ（例えば、レンズの光学設計、レンズの材料、その被覆、又はその他のもの）を送信することもできる。
【００１７】
装置ＤＰＤは、図１の破線矢印によって示されているように、この第１の組Ｓ１をレンズ発注側ＬＯＳから直接的に受け取ることができる。図２に示されている代替実施形態においては、装置ＤＰＤは、例えば、製造側に位置した機械との関係におけるデータを追加することができる第３コンピュータエンティティＰＣ３を、例えば、通じることにより、第１の組Ｓ１をレンズ製造側ＬＭＳを介して間接的に受け取っている。このような機械は、レンズ生成器、レンズブロッカ（ｌｅｎｓ  ｂｌｏｃｋｅｒ）、レンズ研磨機、及び／若しくはレンズエッジャ（ｌｅｎｓ  ｅｄｇｅｒ）、又は、その他のものなどの光学ラボに位置した通常の手段を含むことができる。
【００１８】
次いで、ネットワーク接続されたデータ処理装置ＤＰＤは、データの第２の組Ｓ２をレンズ設計側ＬＤＳに位置した第２コンピュータエンティティＰＣ２に送信している。データの第２の組Ｓ２は、少なくとも着用者の処方データを有し、且つ、光学レンズ設計情報ＯＬＤＩを更に含む。光学レンズ設計情報は、装置ＤＰＤとの間における第１コンピュータＰＣ１又は第３コンピュータＰＣ３の通信（図２の破線矢印）の際に、レンズ発注側（ＬＯＳ）に位置したアイケアの専門家及び／又はレンズ製造側（ＬＭＳ）における光学ラボのアイケアの専門家によって実行された選択の結果として得ることができる。
【００１９】
レンズ設計側（ＬＤＳ）に位置した第２コンピュータエンティティＰＣ２は、ネットワーク接続されたデータ処理装置ＤＰＤに、第２の組Ｓ２から算出された少なくとも光学レンズデータＯＬＤを有するデータの第３の組Ｓ３を返している。光学レンズデータＯＬＤは、製造対象の光学レンズの幾何学的且つ光学的特性を規定するデータを有する。次いで、ネットワーク接続されたデータ処理装置ＤＰＤは、レンズ製造側（ＬＭＳ）に対して送信するためのデータの第４の組Ｓ４を構築しており、且つ、更に詳しくは、第４の組Ｓ４のコンテンツを少なくとも部分的にマスキングする手段を有する。
【００２０】
マスキングは、暗号化を有することが可能であり、且つ、可能な一実施形態においては、ネットワーク接続されたデータ処理装置ＤＰＤは、暗号化キーＥＮＣＲにより、第４の組Ｓ４のコンテンツを少なくとも部分的に暗号化するための暗号化手段を有することができる。一変形においては、レンズ設計側（ＬＤＳ）に位置した第２コンピュータＰＣ２が、この暗号化を実行する暗号化手段を有してもよい。
【００２１】
図４に示されている実施形態の一例を参照して後述する一代替又は補完実施形態においては、光学レンズの第１部分との関係における変更済みの光学レンズデータＭＯＬＤ１及び光学レンズの第２部分との関係における変更済みの光学レンズデータＭＯＬＤ２を１つ又は複数のレンズ製造側に送信するように、マスキング機能を光学レンズデータＯＬＤに対して、且つ、更に詳しくは、光学レンズの第１及び第２部分との関係における光学レンズデータＯＬＤ１、ＯＬＤ２に対して、適用することができる。
【００２２】
通常、光学レンズは、第１部分と、第２部分と、を有するものとして規定することができる。第１部分（又は、第２部分）は、例えば、光学レンズの第１面（又は、第２面）であってもよい。第１面（又は、第２面）は、例えば、光学レンズの前部表面（又は、後部表面）又は後部表面（又は、前部表面）であってもよい。更に一般的には、第１部分（又は、第２部分）は、光学レンズの後部部分（又は、前部部分）及び前部部分（又は、後部部分）に対応する光学レンズの第１容積（又は、第２容積）に対応したものであってもよい。
【００２３】
第１部分Ｆ１の光学的且つ幾何学的特性は、関数ＥＦ１（ｎ，ｘ，ｙ，ｚ）によって規定することが可能であり、ここで、ｎは、第１部分Ｆ１の光学指数であり、且つ、ｘ、ｙ、ｚは、所与の座標系における空間座標である。第２部分Ｆ２の光学的及び幾何学的特性は、関数ＥＦ２（ｎ，ｘ，ｙ，ｚ）によって規定することが可能であり、ここで、ｎは、第２部分Ｆ２の光学指数であり、且つ、ｘ、ｙ、ｚは、所与の座標系における空間座標である。
【００２４】
この結果、光学レンズの光学関数ＯＦは、以下のように、前記光学レンズの光学的且つ幾何学的特性を規定する関数ｈとして規定することが可能であり：
ＯＦ＝ｈ（ＥＦ１（ｎ，ｘ，ｙ，ｚ），ＥＦ２（ｎ，ｘ，ｙ，ｚ））
ここで、ｎは、光学指数であり、且つ、ｘ、ｙ、ｚは、所与の座標系における空間座標である。
【００２５】
光学レンズの光学的及び幾何学的特性は、例えば、前部及び後部表面の表面形状、前部表面との関係における後部表面の位置、及び光学レンズ材料の光学指数ｎにより、規定することができる。
【００２６】
従って、データの第３の組Ｓ３は、本発明の一実施形態においては、第１の式であるＥＦ１（ｎ，ｘ，ｙ，ｚ）によって規定された第１仮想部分ＶＦ１と、第２の式であるＥＦ２（ｎ，ｘ，ｙ，ｚ）によって規定された第２仮想部分ＶＦ２と、を有する（コンピュータファイルにおいて又はデータ通信メッセージにおいて規定された）「仮想的レンズ」として見なすことができる。この結果、式ＥＦ１と式ＥＦ２により、特に、光学レンズの設計対象である着用者の眼前にそのレンズが位置した際の任意の条件における光学レンズの光学関数ＯＦをシミュレートすることができる。
【００２７】
本発明の文脈においては、光学レンズデータＯＬＤは、第１部分（例えば、第１の式であるＥＦ１）に関係する光学レンズデータの第１の組と、第２部分（例えば、第２の式であるＥＦ２）に関係する光学レンズデータの第２の組と、を有することができる。
【００２８】
従って、特定の実施形態においては、ネットワーク接続されたデータ処理装置ＤＰＤは、光学レンズデータの第１及び第２の組（ＯＬＤ１、ＯＬＤ２）を有するデータの第３の組Ｓ３を受け取るように構成されている。ネットワーク接続されたデータ処理装置ＤＰＤは、暗号化手段ＥＮＣＲＭ及び暗号化キーＥＮＣＲにより、光学レンズデータの第１の組（ＶＦ１又はＥＦ１）及び第２の組（ＶＦ２又はＥＦ２）のうちの少なくとも１つを暗号化するように更に構成されている。
【００２９】
ネットワーク接続されたデータ処理装置ＤＰＤは、少なくとも部分的に暗号化された少なくとも光学レンズデータＣＲＰ（ＯＬＤ）を有するデータの第４の組Ｓ４を最終的に構築する。一代替実施形態においては、データの第４の組Ｓ４は、光学レンズデータＯＬＤによって規定された光学レンズを製造するべく製造側に位置した特定の機械の組と共に使用される製造規則の組を更に有することができる。これらの製造規則は、具体的には、光学レンズを機械加工（表面仕上げ、研磨、エッジング、又はその他のもの）を実行するために使用される適切なツール又はパラメータと関係したものであってもよい。
【００３０】
次いで、第３コンピュータエンティティＰＣ３は、暗号解読キーＤＥＣＲによってデータの第４の組Ｓ４を暗号解読するための暗号解読手段を有する。従って、製造側に位置した光学ラボは、データの第４の組Ｓ４に基づいて、レンズの発注に従って光学レンズを製造することができる。
【００３１】
レンズ発注識別子＃ＩＤに対するリンクと共に、第４の組のデータをレンズ製造側（ＬＭＳ）において（例えば、第３コンピュータエンティティＰＣ３のメモリ内に）保存するように、それぞれのデータの組Ｓ１、．．．、Ｓ４内に（又は、少なくとも第１及び第４の組内に）光学レンズ発注識別子＃ＩＤを含むことができる。
【００３２】
ネットワーク接続されたデータ処理装置ＤＰＤは、アイケアの専門家及び／又は光学ラボによる使用が容易なインターフェイスを提供するべく、サーバーＳＥＲに関連するウェブサイトを稼働させるための手段を更に含むことができる。例えば、データの第１の組Ｓ１をウェブサイトのポータルページに送信されることが可能であり、且つ、このようなインターフェイスを通じて、第４の組Ｓ４を受け取ることもできる。
【００３３】
従って、本発明の一利点によれば、例えば、製造側に位置したネットワーク接続されたコンピュータエンティティ（以上においては、「第３コンピュータエンティティ」と呼ばれているもの）に、レンズ設計側に位置した少なくとも１つのネットワーク接続されたコンピュータエンティティ（以上においては、「第２コンピュータエンティティ」と呼ばれているもの）によって算出された光学レンズデータを供給することができる。
【００３４】
アイケアの専門家（及び／又は、光学ラボの要員）が、その独自のレンズ製品仕様及び／若しくはその独自のレンズ設計推奨内容、又は、その他のものをそれぞれが有する異なるレンズ設計者によって提供された複数の選択肢の中から、１つの光学レンズ設計を選択することを選好する場合がある。従って、アイケアの専門家（又は、光学ラボ）が、比較し、且つ、レンズの発注に最も適合した１つの光学レンズ設計を最終的に選択することが便利になる。
【００３５】
本発明は、有利には、例えば、サーバー（並びに、恐らくは、ウェブサイト及びデータベースを稼働させる処理手段）を有するネットワーク接続されたデータ処理装置を提供し、恐らくは、異なるレンズ設計者からの光学レンズデータが供給されるように、このデータ処理装置に対して、（製造側に位置した）第３コンピュータエンティティＰＣ３及び／又は発注側に位置したコンピュータエンティティ（以上においては、「第１コンピュータエンティティ」と呼ばれているもの）をネットワークを通じて接続することができる。この結果、アイケアの専門家及び／又は光学ラボは、オンラインで、例えば、複数の可能なレンズを示す仮想的なカタログ内において光学レンズを選択することができる。
【００３６】
一実施形態においては、第３コンピュータエンティティは、発注側と製造側が同一の側である場合には、第１コンピュータエンティティと同一のエンティティであり得る。
【００３７】
製造側における光学レンズの製造を円滑に実行するために、光学ラボは、着用者のデータ、フレームデータ、又はその他のものを有するデータの組の全体を（レンズ設計側に位置した）第２コンピュータエンティティに送信することが可能であり、且つ、第２コンピュータエンティティは、例えば、着用者のデータやメガネフレームデータに対して適合されたレンズ設計の計算を、但し、恐らくは、特定のレンズ製品仕様データに従って、実行してもよい。次いで、第２コンピュータエンティティは、（製造側に位置した）第３コンピュータエンティティに光学レンズデータを送信し、この光学レンズデータは、例えば、適合されたレンズ設計データの計算結果を含んでもよい。
【００３８】
但し、レンズ設計者及び／又はレンズ供給者の光学レンズデータ又は光学レンズ仕様は、個人的な且つ秘密のデータである可能性がある。従って、このようなデータを、例えば、その他のレンズ設計者／供給者のようなその他の関係者と共有することは望ましくない。
【００３９】
従って、本発明の一利点によれば、レンズ設計側から受け取る少なくとも光学レンズデータを保護することが提案される。
【００４０】
特定の実施形態においては、例えば、メモリＭＥＭ内に保存することができる値ＡＶを得るように（図１）、ネットワーク接続されたデータ処理装置ＰＤＰによって実行されるデータの第４の組Ｓ４のそれぞれの送信をネットワーク接続されたデータ処理装置が有する計数手段によって計数している。一補完又は代替実施形態においては、値ＡＶを得るように、データの第３の組Ｓ３の少なくとも一部分のそれぞれの暗号化を計数手段によって計数することができる。例えば、初期値を第３コンピュータエンティティＰＣ３（又は、更に一般的には、光学ラボ）に割り当てることが可能であり、且つ、それぞれの送信又は暗号化の際に、この値をネットワーク接続されたデータ処理装置ＤＰＤによって減分することができる。例えば、ネットワーク接続されたデータ処理装置ＤＰＤによって送信されるＮ個の光学レンズ設計データにアクセスするための権限を第３コンピュータエンティティＰＣ３を稼働させている光学ラボ又はアイケアの専門家に付与するトークンを、このようなネットワーク接続されたデータ処理装置からのデータのそれぞれの送信の際に、又は第３コンピュータエンティティＰＣ３のために装置ＤＰＤによって実行されるそれぞれの暗号化の際に、減分することができる。一代替実施形態においては、レンズ設計者は、トークンをネットワーク接続されたデータ処理装置ＤＰＤに割り当てることが可能であり、それぞれのトークンは、例えば、同一のレンズ設計者によって提供されたＮ個の光学レンズ設計データにアクセスするための権限を付与する。この結果、トークン値Ｎを、このような装置ＤＰＤからのデータのそれぞれの送信の際に、又はネットワーク接続されたデータ処理装置ＤＰＤによって実行されるそれぞれの暗号化の際に、減分することができる。
【００４１】
更には、データの第４の組Ｓ４のそれぞれの送信の際に且つ／又はそれぞれの暗号化の際に、メモリＭＥＭ内に保存されているレコードに基づいて、（例えば、請求目的のために）会計処理を実行することもできる。
【００４２】
図３を参照すれば、ネットワーク接続されたデータ処理装置ＤＰＤのメモリＭＥＭは、識別子＃ｌａｂ１、＃ｌａｂ２、＃ｌａｂ３などによって識別された個々の製造ラボのそれぞれの値ＡＶ１、ＡＶ２、ＡＶ３などを保存することができる。一代替又は補完実施形態においては、値を個々の製造ラボに且つ／又はレンズ設計算出エンジンＥＮＧ１、ＥＮＧ２、．．．、ＥＮＧＩに関連付けることができる。例えば、いくつかの値ＡＶ１−１、ＡＶ１−２、．．．、ＡＶ１−Ｉを、それぞれ、以下のものに関連付けることができる。
−  所与の光学ラボ（ここでは、識別子＃ｌａｂ１を有するもの）及び、
−  そのラボ（＃ｌａｂ１）に最終的に送信された光学レンズデータＯＬＤを供給した算出エンジンＥＮＧ１、ＥＮＧ２、．．．、ＥＮＧＩ。
【００４３】
光学レンズデータＯＬＤが算出エンジンＥＮＧ１、ＥＮＧ２、．．．、ＥＮＧＩによって供給された光学レンズ設計データを有する更なる実施形態においては、値をレンズ設計タイプに関連付けることができる。例えば、いくつかの値ＡＶ１−１−ａ、ＡＶ１−１−ｂ、ＡＶ−１−１−ｃ、．．．、ＡＶ１−２−ａ’、ＡＶ１−２−ｂ’、ＡＶ１−２−ｃ’、．．．、ＡＶ１−Ｉ−ａ’’、ＡＶ１−Ｉ−ｂ’’、ＡＶ１−Ｉ−ｃ’’、．．．を、それぞれ、以下のものに関連付けることができる。
−  所与の光学ラボ（ここでは、識別子＃ｌａｂ１を有するもの）、
−  光学レンズデータＯＬＤを供給した算出エンジンＥＮＧ１、ＥＮＧ２、．．．、ＥＮＧ１、及び／又は、
−  レンズ設計タイプ（算出エンジンＥＮＧ１によって算出されたレンズ設計データと関連するａ、ｂ、ｃなど、算出エンジンＥＮＧ２によって算出されたレンズ設計データと関連するａ’、ｂ’、ｃ’など、算出エンジンＥＮＧＩによって算出されたレンズ設計データと関連するａ’’、ｂ’’、ｃ’’など）。
【００４４】
特定の実施形態においては、一般的な暗号化キーＥＮＣＲ１、ＥＮＣＲ２、ＥＮＣＲ３などをそれぞれのラボ（＃ｌａｂ１、＃ｌａｂ２、＃ｌａｂ３など）に供給しており、且つ、このような暗号化キーは、そのラボに割り当てられた値ＡＶ１、ＡＶ２、ＡＶ３などのそれぞれの変更の際に（例えば、上述の値が減分されるたびに）生成することができる。この実施形態は、対称暗号化において、所謂「派生キー（ｄｉｖｅｒｓｉｆｉｅｄ  ｋｅｙ）」によって実行することができる。レンズ製造側（図３の右側）においては、第３コンピュータエンティティＰＣ３も、例えば、データの第４の組Ｓ４がネットワーク接続されたデータ処理装置ＤＰＤから受け取られるたびに減分されるその値ＡＶ１を保存することが可能であり、且つ、相応して、暗号解読キーＤＥＣＲ１（ｉ）を生成することができる。
【００４５】
当然のことながら、一代替実施形態においては、光学レンズデータのそれぞれの暗号化において、独立した暗号化キーを使用することができる。更には、上述の対称モードに対する代替肢として非対称暗号化モードを使用することもできる。
【００４６】
一代替又は補完実施形態においては、光学レンズは、上述のように、第１部分Ｆ１及び第２部分Ｆ２を有するものと見なすことができる。この結果、光学レンズデータＯＬＤは、第１部分Ｆ１に関係する光学レンズデータの第１の組ＯＬＤ１と、第２部分Ｆ２に関係する光学レンズデータの第２の組ＯＬＤ２と、を有する。光学レンズデータの第１の組ＯＬＤ１及び光学レンズデータの第２の組ＯＬＤ２は、上述の光学レンズの光学関数ＯＦを一緒に規定している。
【００４７】
次いで、マスキング機能を以下のものに対して適用する。
−  光学レンズデータの第１の変更済みの組ＭＯＬＤ１を得るように、光学レンズデータの第１の組ＯＬＤ１及び、
−  光学レンズデータの第２の変更済みの組ＭＯＬＤ２を得るように、光学レンズデータの第２の組ＯＬＤ２。
【００４８】
マスキング機能は、具体的には、光学レンズデータの第１の変更済みの組ＭＯＬＤ１及び光学レンズデータの第２の変更済みの組ＭＯＬＤ２が光学レンズの光学関数ＯＦと同一の光学関数を一緒に規定するように、選択される。
【００４９】
従って、レンズ製造側ＬＭＳ（データの第４の組Ｓ４を受け取る光学ラボ）は、真の光学レンズデータＯＬＤを、更に詳しくは、光学レンズデータの第１の組ＯＬＤ１及び光学レンズデータの第２の組ＯＬＤ２を、判定することができない。実際には、ここでは、変更済みのデータＭＯＬＤ１及びＭＯＬＤ２のみがレンズ製造側に付与される。
【００５０】
更に一般的には、変更済みのデータＭＯＬＤ１及びＭＯＬＤ２は、いくつかの製造側に送信することができる。図４に示されている実施形態の一例においては、第４のネットワーク接続されたコンピュータエンティティＰＣ４が、半完成レンズ製造側ＳＦＬＭＳに位置している。従って、光学レンズデータの第１の変更済みの組ＭＯＬＤ１は、レンズ製造側ＬＭＳに位置した第３のネットワーク接続されたコンピュータエンティティＰＣ３に送信することが可能であり、光学レンズデータの第２の変更済みの組ＭＯＬＤ２は、半完成レンズ製造側ＳＦＬＭＳに位置した第４のネットワーク接続されたコンピュータエンティティＰＣ４に送信される。
【００５１】
従って、第１ラボ（ＬＭＳ）は、データの第１部分ＭＯＬＤ１のみを有し、且つ、第１部分Ｆ１は変更されており、もう１つのラボ（ＳＦＬＭＳ）は、データの第２の部分ＭＯＬＤ２のみを有し、且つ、第２部分も変更されているため、光学レンズデータの全体を秘密に維持することができる。
【００５２】
データＯＬＤ１に適用することができるマスキング機能は、例えば、秘密の値を伴う操作であってもよく、且つ、対応する逆操作をデータＯＬＤ２に対して適用することができる。例えば、第１光学伝達関数による畳込みをデータＯＬＤ１に適用することが可能であり、且つ、第２光学伝達関数による畳込みをデータＯＬＤ２に適用することが可能であり、第２光学伝達関数は、例えば、第１光学伝達関数の逆関数である。第１光学伝達関数は、（例えば、データの第４の組Ｓ４のそれぞれの送信の際にランダムに導出される）第１光学伝達関数の疑似ランダムパラメータを生成するための手段によって生成することができる。従って、レンズ製造側は、例えば、特定の着用者の処方データに対応する真の光学レンズデータＯＬＤ又はＯＬＤ１を容易に判定することができない。更には、疑似ランダムパラメータは、光学レンズの幾何学的特性に対する光学伝達関数の適用の影響を極小化するように、（例えば、いくつかの導出値の中から）選択することができる。
【００５３】
このようにして得られた変更済みのデータＭＯＬＤ１及びＭＯＬＤ２は、レンズ製造側ＬＭＳ及び半完成レンズ製造側ＳＦＬＭＳに対するその個々の送信の前に、更に暗号化することができる。データＯＬＤ１及びＯＬＤ２の変更は、レンズ設計側ＬＤＳに位置した第２のネットワーク接続されたコンピュータエンティティＰＣ２により、又はネットワーク接続されたデータ処理装置ＤＰＤにより、実行することができる。
【００５４】
例えば、光学レンズデータの暗号化された第２の変更済みの組ＭＯＬＤ２は、（例えば、光学レンズの前面に関係している場合には）、半完成レンズ製造ラボ（ＳＦＬＭＳ）に送信することが可能であり、半完成レンズ製造ラボ（ＳＦＬＭＳ）は、データＭＯＬＤ２に従って機械加工された半完成レンズをレンズ製造ラボ（ＬＭＳ）に送付する。光学レンズデータの暗号化された第１の変更済みの組ＭＯＬＤ１は、（光学レンズの後面に関係している場合には）、レンズ製造側ＬＭＳに送信することが可能であり、そこで、光学ラボは、データＭＯＬＤ１に従って光学レンズの製造を完了させることができる。
【００５５】
ネットワーク接続されたデータ処理装置ＤＰＤは、これらのデータの組を送信する前に、それぞれのコンピュータエンティティＰＣ２、ＰＣ３（及び／又は、ＰＣ１）ごとに、データの第２の組Ｓ２のデータ構造及び／又はデータの第４の組Ｓ４のデータ構造（例えば、ファイルフォーマット又はデータ通信メッセージフォーマット）を適合させるための手段を更に有することができる。従って、このような適合手段により、可能な異なるフォーマットの間における変換が可能となる。
【００５６】
更には、ネットワーク接続されたデータ処理装置ＤＰＤは、データの第２の組Ｓ２をいくつかの第２コンピュータエンティティＰＣ２に更に送信することが可能であり、且つ、レンズ製造側ＬＭＳにおいて送信するためのデータの第４の組Ｓ４を構築するために、例えば、（第２の組Ｓ２に応答して送信されたデータの異なる第３の組Ｓ３の中から）、１つ又は複数の基準（価格、可用性、又はその他のもの）に最良に適合する光学レンズデータを選択してもよい。
【００５７】
当然のことながら、その他の実施形態も可能であり、且つ、本発明は、一例として上述した実施形態に限定されるものではない。
【００５８】
例えば、図５Ａを参照すれば、光学レンズが、着用者のデータ、メガネフレームデータなどに、又は、光学レンズの費用、光学的な快適さ、若しくはその他のものなどのその他の基準に、完全に適合することができるかどうかをアイケアの専門家がチェックすることができるように、光学レンズデータＳ４をアイケアの専門家に送信することができる。アイケアの専門家がレンズ設計に満足した場合には、第１のネットワーク接続されたコンピュータエンティティＰＣ１は、検証メッセージＯＫ１をネットワーク接続されたデータ処理装置ＤＰＤに送信することが可能であり、次いで、ネットワーク接続されたデータ処理装置ＤＰＤは、値ＡＶを減分する。第１のネットワーク接続されたコンピュータエンティティＰＣ１は、更に、光学レンズの機械加工を開始するように、別の検証メッセージＯＫ２を第３のネットワーク接続されたコンピュータエンティティＰＣ３に送信する。
【００５９】
図５Ｂに示されている代替実施形態において、アイケアの専門家がレンズ設計に満足している場合には、第１のネットワーク接続されたコンピュータエンティティＰＣ１は、第１検証メッセージＯＫ１を第３のネットワーク接続されたコンピュータエンティティＰＣ３に送信する。相応して、第３のネットワーク接続されたコンピュータエンティティＰＣ３は、第２検証メッセージＯＫ２をネットワーク接続されたデータ処理装置ＤＰＤに送信し、次いで、ネットワーク接続されたデータ処理装置ＤＰＤが値ＡＶを減分する。
【００６０】
当然のことながら、ウェブサイト上においてレンズ設計を選択する可能性は、アイケアの専門家及び／又は光学ラボにのみ提供されるものではない。例えば、最終ユーザー（通常は、着用者）も、自身の好みに従って、例えば、ネットワーク接続されたパーソナルコンピュータ又は携帯型電話機（スマートフォン及びこれに類似したもの）などのその他の端末を使用し、レンズ設計を選択することができる。
【符号の説明】
【００６１】
ＬＯＳ  レンズ発注側
ＬＭＳ  レンズ製造側
ＬＤＳ  レンズ設計側
ＤＰＤ  データ処理装置
ＳＥＲ  サーバー
ＭＥＭ  メモリ
ＣＲＰ  光学レンズデータ
ＥＮＣＲＭ  暗号化手段
【図１】
2015502568.tif 000003
【図２】
2015502568.tif 000004
【図３】
2015502568.tif 000005
【図４】
2015502568.tif 000006
【図５Ａ】
2015502568.tif 000007
【図５Ｂ】
2015502568.tif 000008
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
着用者に対して適合された少なくとも１つの光学レンズを供給するためのコンピュータ手段によって実装される方法であって、前記光学レンズは、第１部分と、第２部分と、を有し、
ａ）直接的に、又は製造側を介して間接的に、レンズ発注側（ＬＯＳ）に位置した第１のネットワーク接続されたコンピュータエンティティ（ＰＣ１、ＰＣ３）から、データの第１の組（Ｓ１）を受け取るステップであって、前記データの第１の組（Ｓ１）は、少なくとも、着用者のデータと、特に、着用者の処方データと、を有する、ステップと、
ｂ）少なくとも光学レンズ設計情報及び前記着用者の処方データを有するデータの第２の組（Ｓ２）をレンズ設計側（ＬＤＳ）に位置した第２のネットワーク接続されたコンピュータエンティティ（ＰＣ２）に送信し、且つ、前記第２のネットワーク接続されたコンピュータエンティティ（ＰＣ２）から、前記第２の組（Ｓ２）から算出された少なくとも光学レンズデータ（ＯＬＤ）を有するデータの第３の組（Ｓ３）を受け取るステップであって、前記光学レンズデータ（ＯＬＤ）は、前記第１レンズ部分に関係する光学レンズデータの第１の組（ＯＬＤ１）と、前記第２レンズ部分に関係する光学レンズデータの第２の組（ＯＬＤ２）と、を有し、前記光学レンズデータの第１の組（ＯＬＤ１）及び前記光学レンズデータの第２の組（ＯＬＤ２）は、前記光学レンズのグローバルな光学関数（ＯＦ）を一緒に規定している、ステップと、
ｃ）レンズ製造側（ＬＭＳ）に位置した少なくとも第３のネットワーク接続されたコンピュータエンティティ（ＰＣ３）に、少なくとも前記光学レンズデータの第１の組（ＯＬＤ１）を送信するステップと、
ｄ）半完成レンズ製造側（ＳＦＬＭＳ）の第４のネットワーク接続されたコンピュータエンティティ（ＰＣ４）に位置した少なくとも第４のネットワーク接続されたコンピュータエンティティ（ＰＣ４）に、少なくとも前記光学レンズデータの第２の組（ＯＬＤ２）を送信するステップと
を有し、
前記少なくとも第１及び第２光学レンズデータ（ＯＬＤ１、ＯＬＤ２）は、それぞれ、マスキング機能（ＥＮＣＲ）によって少なくとも部分的に変更され（ＭＯＬＤ１、ＭＯＬＤ２）、且つ、前記マスキング機能は、
−  光学レンズデータの第１の変更済みの組（ＭＯＬＤ１）を得るように、前記光学レンズデータの第１の組と、
−  光学レンズデータの第２の変更済みの組（ＭＯＬＤ２）を得るように、前記光学レンズデータの第２の組と
に適用され、
前記光学レンズデータの第１の変更済みの組（ＭＯＬＤ１）及び前記光学レンズデータの第２の変更済みの組（ＭＯＬＤ２）は、前記光学レンズの前記グローバルな光学関数（ＯＦ）と同一の光学関数を一緒に規定する、方法。
【請求項２】
値（ＡＶ）を得るように、ステップｃ）のそれぞれの実行が係数手段によって計数される請求項１に記載の方法。
【請求項３】
前記第３のネットワーク接続されたコンピュータエンティティ（ＰＣ３）及び／又は前記第２のネットワーク接続されたコンピュータエンティティ（ＰＣ２）と関連するトークン値がそれぞれの計数の際に減分される請求項２に記載の方法。
【請求項４】
前記値（ＡＶ）に基づいて会計処理が実行される請求項２又は３に記載の方法。
【請求項５】
前記マスキング機能は、暗号化を有し、且つ、前記第１及び第２光学レンズデータ（ＯＬＤ１、ＯＬＤ２）は、暗号化手段及び暗号化キー（ＥＮＣＲ）により、少なくとも部分的に暗号化され、且つ、前記第３及び第４のネットワーク接続されたコンピュータエンティティ（ＰＣ３、ＰＣ４）は、暗号解読キー（ＤＥＣＲ）により、前記光学レンズデータ（ＯＬＤ１、ＯＬＤ２）を暗号解読するように、構成されている請求項１に記載の方法。
【請求項６】
前記光学レンズデータの前記暗号化は、ステップｃ）において実行される前記データの第３の組（Ｓ３）の少なくとも一部分の暗号化の結果としてもたらされ、且つ、ステップｃ）において実行されるそれぞれの暗号化は、値（ＡＶ）を得るように、計数手段によって計数される請求項５に記載の方法。
【請求項７】
少なくとも１つの暗号化キー（ＥＮＣＲ１（ｉ）、ＥＮＣＲ２（ｊ）、ＥＮＣＲ３（ｋ））が、それぞれの値（ＡＶ１、ＡＶ２、ＡＶ３）との関連において提供される請求項６に記載の方法。
【請求項８】
ステップａ）〜ステップｄ）は、少なくともサーバー（ＳＥＲ）及びストレージユニット（ＭＥＭ）を有するネットワーク接続されたデータ処理装置（ＤＰＤ）によって実行される請求項１に記載の方法。
【請求項９】
少なくとも前記データの第１の組（Ｓ１）は、前記ネットワーク接続されたデータ処理装置（ＤＰＤ）によって稼働するウェブサイトに送信される請求項８に記載の方法。
【請求項１０】
前記光学レンズデータの第１の組（ＯＬＤ１）は、光学レンズデータ（ＯＬＤ）と関連する製造規則の組を更に有する請求項１に記載の方法。
【請求項１１】
着用者に対して適合された少なくとも１つの光学レンズを供給するための光学レンズ供給システムであって、前記光学レンズは、第１部分と、第２部分と、を有し、前記システムは、
ａ）直接的に、又は製造側を介して間接的に、レンズ発注側（ＬＯＳ）に位置した第１のネットワーク接続されたコンピュータエンティティ（ＰＣ１、ＰＣ３）から、データの第１の組（Ｓ１）を受け取り、前記データの第１の組（Ｓ１）は、少なくとも、着用者のデータと、特に、着用者の処方データと、を有し、
ｂ）少なくとも光学レンズ設計情報及び前記着用者の処方データを有するデータの第２の組（Ｓ２）をレンズ設計側（ＬＤＳ）に位置した第２のネットワーク接続されたコンピュータエンティティ（ＰＣ２）に送信し、且つ、前記第２のネットワーク接続されたコンピュータエンティティ（ＰＣ２）から、前記第２の組（Ｓ２）から算出された少なくとも光学レンズデータ（ＯＬＤ）を有するデータの第３の組（Ｓ３）を受け取り、前記光学レンズデータ（ＯＬＤ）は、前記第１レンズ部分に関係する光学レンズデータの第１の組（ＯＬＤ１）と、前記第２レンズ部分に関係する光学レンズデータの第２の組（ＯＬＤ２）と、を有し、前記光学レンズデータの第１の組（ＯＬＤ１）及び前記光学レンズデータの第２の組（ＯＬＤ２）は、前記光学レンズのグローバルな光学関数（ＯＦ）を一緒に規定し、
ｃ）レンズ製造側（ＬＭＳ）に位置した少なくとも第３のネットワーク接続されたコンピュータエンティティ（ＰＣ３）に、少なくとも前記光学レンズデータの第１の組（ＯＬＤ１）を送信し、且つ、
ｄ）半完成レンズ製造側（ＳＦＬＭＳ）の第４のネットワーク接続されたコンピュータエンティティ（ＰＣ４）に位置した少なくとも第４のネットワーク接続されたコンピュータエンティティ（ＰＣ４）に、少なくとも前記光学レンズデータの第２の組（ＯＬＤ２）を送信する
ための処理手段（ＤＰＤ）を有し、
前記少なくとも第１及び第２光学レンズデータ（ＯＬＤ１、ＯＬＤ２）は、それぞれ、マスキング機能（ＥＮＣＲ）によって少なくとも部分的に変更され（ＭＯＬＤ１、ＭＯＬＤ２）、且つ、前記マスキング機能は、
−  光学レンズデータの第１の変更済みの組（ＭＯＬＤ１）を得るように、前記光学レンズデータの第１の組と、
−  光学レンズデータの第２の変更済みの組（ＭＯＬＤ２）を得るように、前記光学レンズデータの第２の組と
に適用され、
前記光学レンズデータの第１の変更済みの組（ＭＯＬＤ１）及び前記光学レンズデータの第２の変更済みの組（ＭＯＬＤ２）は、前記光学レンズの前記グローバルな光学関数（ＯＦ）と同一の光学関数を一緒に規定する、システム。
【請求項１２】
データ処理装置用のコンピュータプログラムプロダクトであって、前記データ処理装置に読み込まれた際に、前記装置に請求項１乃至１０のいずれか一項に記載の方法のステップを実行させる命令の組を有するコンピュータプログラムプロダクト。
【国際調査報告】
2015502568.tif 000009
2015502568.tif 000010
2015502568.tif 000011